(57)【特許請求の範囲】
【請求項１】
表示部と現金入出金口を有する現金機構とを備え、前記表示部が、前記現金入出金口の紙幣入出金口を覆う表示部と、硬貨入出金口を覆う表示部とにより構成され、前記紙幣及び硬貨の入出金口を覆う２つの表示部が独立して移動させられ、前記現金機構の現金入出金口を前記２つの表示部により覆った状態から、２つの表示部の少なくとも一方の表示部を移動させることにより、前記現金入出金口を露出させて現金の投入、取り出しの操作を可能とし、前記２つの表示部の一方の移動が他方の表示部に重なるように行われることを特徴とする現金自動取引装置。
【発明の詳細な説明】
【技術分野】
【０００１】
本発明は、現金自動取引装置に係り、特に、表示部と現金入出口とを備える現金自動取引装置に関する。
【背景技術】
【０００２】
一般に、現金自動取引装置は、その筐体の前面（接客部分）に、利用者が取引に必要な操作を行うための操作部が設けられて構成されている。操作部には、取引媒体としてのカード及び通帳の挿入口、操作表示パネル、もう１つの取引媒体である紙幣、硬貨の入出金口が配置されている。しかし、それらを平面的に並べた場合、操作部としては、少なくともそれらの合計の面積が必要となり、近年増大している小型化の要求に応じることが困難になってきている。このため、表示部をほぼ垂直に実装したタイプのものが提供されるようになってきている。
【０００３】
すなわち、現金自動取引装置には、表示部をほぼ水平に実装したタイプのものと、表示部をほぼ垂直に実装したタイプのものとがある。表示部をほぼ水平に実装したタイプの現金自動取引装置は、装置の奥行きが表示部と現金入出口を有する現金機構との奥行きサイズを加算した大きさとなり、装置全体が大型となるが、背後から他人に表示内容が見られにくいという利点を有している。一方、表示部をほぼ垂直に実装したタイプの現金自動取引装置は、表示部の表示画面を前に向けて現金機構の上に表示部が配置されるため、現金機構と表示機構とを重ねて配置することが可能となるため、装置の奥行きサイズを小さくすることができるという利点を有しているが、表示画面の高さが高く、また、画面が縦になるため、背後から他人に表示内容を見られやすいという欠点を有している。
【０００４】
なお、近年、表示部は、ＬＣＤ等の薄型パネルを使用するものが主流となってきており、今後、有機ＥＬパネル等のさらに薄型・軽量の表示パネルの使用が増加していくものと考えられる。
【０００５】
なお、表示部をほぼ水平に実装したタイプの現金自動取引装置の従来技術として、例えば、特許文献１等に記載された技術が知られており、また、表示部をほぼ垂直に実装したタイプの現金自動取引装置の従来技術として、例えば、特許文献２等に記載された技術が知られている。
【特許文献１】特開平９−１６１１２７号公報
【特許文献２】特開２００７−２７２９２４号公報
【発明の開示】
【発明が解決しようとする課題】
【０００６】
前述したように、表示部をほぼ水平に実装したタイプの現金自動取引装置は、装置全体が大型となるという問題点を有し、また、表示部をほぼ垂直に実装したタイプの現金自動取引装置は、背後から他人に表示内容を見られやすいという問題点を有している。
【０００７】
本発明の目的は、前述した従来技術の問題点を解決し、装置全体を小型に構成することができ、かつ、表示画面の表示内容を背後から他の人に見られにくくすることができる現金自動取引装置を提供することにある。
【課題を解決するための手段】
【００１０】
本発明によれば前記目的は、表示部と現金入出金口を有する現金機構とを備え、前記表示部が、前記現金入出金口の紙幣入出金口を覆う表示部と、硬貨入出金口を覆う表示部とにより構成され、前記紙幣及び硬貨の入出金口を覆う２つの表示部が独立して移動させられ、前記現金機構の現金入出金口を前記２つの表示部により覆った状態から、２つの表示部の少なくとも一方の表示部を移動させることにより、前記現金入出金口を露出させて現金の投入、取り出しの操作を可能とし、前記２つの表示部の一方の移動が他方の表示部に重なるように行われることにより達成される。
【発明の効果】
【００１１】
本発明によれば、表示部をほぼ水平に実装しても、装置の奥行きサイズを小さくして、装置全体を小型に構成することができ、かつ、表示画面の表示内容を背後から他の人に見られにくくすることができる。
【発明を実施するための最良の形態】
【００１２】
以下、本発明による現金自動取引装置の実施形態を図面により詳細に説明する。
【００１３】
図１は本発明の実施形態による現金自動取引装置の構成を示すブロック図である。図１に示す現金自動取引装置は、以後に説明する本発明の複数の実施形態で共通の機能構成を示すものである。
【００１４】
図１に示すように、現金自動取引装置１は、利用者が要求する種々の取引を自動的に実行する装置であって、表示部２及び表示部２に設けられた入力部３を有する表示機構部４と、カード機構部５と、明細表機構部６と、通帳機構部７と、紙幣機構部８と、硬貨機構部９と、回線部１０と、表示機構部の移動制御部１１と、制御部１２と、電源部１３とを備えて構成されている。また、現金自動取引装置１は、図示していないが、ＣＰＵ、メモリ、ハードディスク等の記憶装置等を備えて構成され、前述の各機構部における各機能は、プログラムとして記憶装置に格納され、これらのプログラムをメモリにロードしてＣＰＵを主な構成要素としている制御部１２が前述のプログラムを実行することにより実現されている。
【００１５】
前述において、表示部２は、利用者に対する操作ガイダンス、アナウンス情報等の表示を行うＬＣＤ等による表示装置である。入力部３は、表示部２に実装され利用者の操作や指で押下された入力を受け付け、その押下を検出するためのタッチパネル等から構成される。これらの表示部２と入力部３とは、一体に構成されて表示機構部４として構成される。後述するが、この表示機構部４は、現金自動取引装置１の装置内部等へ移動することが可能とされている。
【００１６】
カード機構部５は、キャッシュカードやクレジットカード等の挿入、排出動作を行い、カードに付加された情報を読み取り、また、書き込む機能を有する。明細票機構部６は、取引内容等を明細票に印字し出力する機能を有する。通帳機構部７は、通帳の読み取り、発行及び取引内容等の印字を行う機能を有する。紙幣機構部８は、紙幣の入出金口を有し、紙幣入出金口への紙幣の入出金を行う機能を有する。硬貨機構部９は、硬貨の入出金口を有し、硬貨入出金口への硬貨の入出金を行う機能を有する。回線部１０は、金融機関のセンター等と必要に応じてデータの送受信を行う機能を有する。表示部の移動機構部１１は、表示機構部４を装置内部との間で出し入れする機能を有する。制御部１２は、前述で説明した各ユニット（表示部、入力部、紙幣機構部等）を制御する機能を有する。電源部１３は、前述の各ユニットに必要な電力を供給する機能を有する。
【００１７】
通常、現金自動取引装置は、現金入出金口の上部が移動可能なシャッタで覆われており、利用者が取引操作により入金または出金を行う際に前述のシャッタが現金自動取引装置内部に移動させられることにより現金入出金口が露出する構造を有しており、前述のシャッタは、現金自動取引装置の筐体または紙幣機構部、硬貨機構部のいずれかに設置されている。
【００１８】
図２Ａは本発明の第１の実施形態による現金自動取引装置における表示機構部を説明する図である。
【００１９】
図２Ａ（ａ）の側面図、図２Ａ（ｂ）の正面図に示すように、第１の実施形態による現金自動取引装置１は、１つの表示機構部４を備えて構成されている。表示機構部４は、紙幣機構部８の紙幣入出金口４１及び硬貨機構部９の硬貨入出金口４２の全体を覆うことができるような充分な大きさに構成されており、現金自動取引装置１の筐体に設置されている。そして、表示機構部４は、入力部３を用いて利用者が必要な入力操作を行った後、入金または出金を行う際に図２Ａ（ａ）に点線と矢印とで示しているように、現金自動取引装置１の内部に移動させられる。これにより、紙幣入出金口４１及び硬貨入出金口４２が露出させられ、利用者が紙幣、硬貨の投入、取り出しを行うことが可能となる。
【００２０】
前述したような表示機構部４の移動は、制御部１２からの指示により表示部の移動機構部１１が図示しない移動駆動機構を制御することにより行われる。移動駆動機構は、例えば、表示機構部４の両側部に表示機構部４を乗せてスライドさせることができるようにしたレールを設け、モータを含む機構により表示機構部４をスライドさせることができる構成等、どのような駆動機構であってもよく、周知の手段により構成することが可能である。
【００２１】
表示機構部４は、床面に対して水平になる角度、あるいは、奥側を僅かに高くして設置される。また、表示機構部４は、前述のようにほぼ水平に設置する以外にも、プライバシーフィルタ等の視野角を制限する製品と組合わせて設置角度をさらに大きくするようにしてもよい。但し、この場合にも、表示機構部４の入力部３を操作する状態で、表示機構部４が、紙幣機構部８の紙幣入出金口４１及び硬貨機構部９の硬貨入出金口４２を覆うようにされている必要がある。
【００２２】
前述した本発明の第１の実施形態は、表示機構部４が現金自動取引装置１の内部に移動させられた状態のとき、利用者から表示部２が見えなくなってしまい、操作に不慣れな利用者に不安を感じさせることがある。このため、本発明では、図２Ａ（ａ）、図２Ａ（ｂ）に示しているように、補助表示機構部１４を現金自動取引装置１の筐体のカード機構部５と、明細票機構部６と、通帳機構部７等が設けられるほぼ垂直となった正面板に設けるようにすることができる。この補助表示機構部１４に、利用者に対する操作ガイダンス、アナウンス情報等を表示しておくことにより、操作に不慣れな利用者に不安を感じさせるようなことを防止することができる。また、この補助表示機構部１４にもタッチパネル等による入力部を設けておくことにより、紙幣入出金口４１及び硬貨入出金口４２が開いている状態で何らかの操作が必要な場合の操作を行わせることも可能となる。
【００２３】
前述で説明した本発明の第１の実施形態は、表示機構部４を紙幣機構部８の紙幣入出金口４１及び硬貨機構部９の硬貨入出金口４２のシャッタとして利用しているので、表示機構部４が、現金自動取引装置１の内部に移動させられたとき、紙幣入出金口４１及び硬貨入出金口４２の両方が露出させられることになる。しかし、取引によっては、紙幣入出金口４１及び硬貨入出金口４２の両方を必要とせず、どちらか一方の入出金口だけ露出すればよい場合もある。
【００２４】
図２Ｂは本発明の第１の実施形態の変形例による現金自動取引装置における表示機構部と現金の入出金口とを説明する図である。図２Ｂに示す例は、図２Ｂ（ａ）の側面図、図２Ｂ（ｂ）の正面図に示すように、紙幣入出金口４１、硬貨入出金口４２のそれぞれに、紙幣入出金口用シャッタ４３、硬貨入出金口用シャッタ４４を設けて構成した例である。そして、これらのシャッタ４３、４４は、表示機構部４が現金自動取引装置１の内部に移動させられて、紙幣入出金口４１及び硬貨入出金口４２が露出させられるときに、取引の内容に応じて、どちらか一方、あるいは、両方のシャッタを表示機構部４の移動に伴って開くようにしている。
【００２５】
図２Ｂ（ｃ）に示しているのは、取引が紙幣の入出金だけでよい場合の紙幣入出金口用シャッタ４３の状態を示している。この例の場合、紙幣入出金口用シャッタ４３が表示機構部４と共に移動して、紙幣入出金口４１が開いた状態にされる。一方、硬貨入出金口４２は、硬貨入出金口用シャッタ４４により塞がれた状態にされる。
【００２６】
図２Ｂ（ｄ）に示しているのは、前述とは逆に、取引が硬貨の入出金だけでよい場合の硬貨入出金口用シャッタ４４の状態を示している。この例の場合、硬貨入出金口用シャッタ４４が表示機構部４と共に移動して、硬貨入出金口４２が開いた状態にされる。一方、紙幣入出金口４１は、紙幣入出金口用シャッタ４３により塞がれた状態にされる。
【００２７】
図２Ｂには示していないが、取引が紙幣と硬貨との両方の入出金を要するものである場合、紙幣入出金口用シャッタ４３、硬貨入出金口用シャッタ４４の両方が、表示機構部４と共に移動させられて、紙幣入出金口４１、硬貨入出金口４２の両方が開いた状態にされる。
【００２８】
図２Ｂに示して説明した例によれば、表示機構部４の開閉に連動して、かつ、取引の内容に応じて、紙幣機構部８の紙幣入出金口４１及び硬貨機構部９の硬貨入出金口４２を覆うシャッタを開閉させているので、利用者が紙幣入出金口４１に硬貨を投入したり、逆に、硬貨入出金口４２に紙幣を投入しようとするような誤操作を防止することが可能となる。
【００２９】
また、後述する本発明の第２の実施形態の場合のように、表示機構部を複数とする場合よりも、全体として表示面積の大きな表示機構部とすることができるため、ソフトウェアにより表示画面の利用方法を容易に変更することができる。
【００３０】
図３は本発明の第２の実施形態による現金自動取引装置における表示機構部を説明する図である。
【００３１】
図３（ａ）の正面図に示すように、第２の実施形態による現金自動取引装置１は、複数（図示例では２つ）の表示機構部を備えて構成されている。すなわち、第２の実施形態による現金自動取引装置１は、紙幣機構部８の紙幣入出金口４１を覆う表示機構部２１及び硬貨機構部９の硬貨入出金口４２を覆う表示機構部２２が現金自動取引装置１の筐体に設置されている。これらの表示機構部２１、２２は、それぞれ独立に移動可能にされており、紙幣の入出金を行う場合、表示機構部２１が現金自動取引装置１の内部に移動させられ、硬貨の入出金を行う場合、表示機構部２２が現金自動取引装置１の内部に移動させられて、それぞれの入出金口を露出することができる。表示機構部２１及び表示機構部２２は、前述のように独立して移動する以外にも連動して移動させることも可能である。前述のような表示機構部２１及び表示機構部２２の移動の制御は、図２Ａ（ａ）参照して説明した場合と同様に行うことができる。
【００３２】
また、本発明の第２の実施形態では、表示機構部２１及び表示機構部２２を現金自動取引装置１の内部に移動させる以外にも、図３（ｂ）に示しているように、表示機構部２１を横方向に移動させて、表示機構部２２の上または下に重なるようして、紙幣入出金口４１を露出させるように構成することもでき、あるいは、表示機構部２２を横方向に移動させて、表示機構部２１の上または下に重なるようにして、硬貨入出金口４２を露出させるように構成することもできる。
【００３３】
なお、この本発明の第２の実施形態において、２つの表示機構部２１、２２が装置内部に移動させられる場合には、この本発明の第２の実施形態に対しても、第１の実施形態で説明した場合と同様に、補助表示機構部１４を設けるようにすることができる。また、図３（ｂ）に示しているように、表示機構部２１、２２を横方向に移動させて、表示機構部２１、２２を重なるようした場合には、上になる表示機構部の表示部にガイダンス等の必要な情報を表示させることができ、また、必要により入力を行わせることもできる。
【００３４】
前述までに説明した本発明の第１、第２の実施形態において、表示機構部４、２１、２２は、利用者が入出金口へ紙幣、硬貨を投入あるいは入出金口から紙幣、硬貨を抜き出したことが検出された後、制御部１２及び表示部の移動機構部１１により制御されて、入出金口４１または入出金口４２を閉じる方向に移動して利用者が入金または出金操作を行う以前の状態に戻る。
【００３５】
図４は本発明の第３の実施形態による現金自動取引装置における表示機構部を説明する図である。
【００３６】
図４に示すように、第３の実施形態による現金自動取引装置１は、前述で説明した第１の実施形態において、紙幣及び硬貨の入出金口を露出させた状態で表示部の一部が装置外部に露出しているように構成した例である。
【００３７】
表示機構部４の表示部２は、表示部２３及び表示部２４により構成されており、表示部２３及び表示部２４は、それぞれ独立して表示制御され、あるいは、表示部２の全表示可能領域を一括して表示制御することも可能である。表示機構部４は、利用者が入金または出金操作を指定したことを入力部３で検出した後、制御部１２による制御により現金自動取引装置１の内部へ移動を開始し、表示機構部４が所定の位置へ移動を完了した状態で、表示部２３が現金自動取引装置１の内部にあり、また、表示部２４が現金自動取引装置１の内部に収容されず外部に露出した状態となる。
【００３８】
そして、外部に露出した状態にある表示部２４には、利用者が取引操作を行うための操作ボタンまたは取引に関するガイダンス表示、広告その他の情報表示等を行うことが可能である。また、露出している表示部２４は、露出している入力部３の一部により利用者の操作や指で押下された入力を受け付け、その押下を検出することができる。
【００３９】
また、表示機構部４は、利用者が入出金口へ紙幣、硬貨を投入あるいは入出金口から紙幣、硬貨を抜き出したことが検出された後、制御部１２及び表示部の移動機構部１１により制御されて、露出している表示部２４が現金自動取引装置１の内部に収容される方向に移動した上で移動方向を替えて、入出金口４１または入出金口４２を閉じる方向に移動して利用者が入金または出金操作を行う以前の状態に戻る。
【００４０】
図５は本発明の第４の実施形態による現金自動取引装置における表示機構部の清掃を行う清掃部の構成を示す図である。
【００４１】
前述までに説明した本発明の第１〜第３の実施形態は、表示機構部を現金自動取引装置１の内部に収納することとしており、本発明の第４の実施形態は、表示機構部を現金自動取引装置１の内部に引き込んだときに、装置内部に設けられた清掃部１５により表示機構部の清掃を行うことができるようにしたものである。
【００４２】
清掃部１５は、現金自動取引装置１の内部に配置され表示部２または入力部３の表面に接する位置に、制御部１２により制御される図示しない駆動部により移動することができるように構成される。この清掃部１５は、表示機構部が移動する方向に対して直角方向に延びる埃等を吸着する物質で構成されたブラシ等であってよい。
【００４３】
前述の清掃部１５は、表示機構部の全てが現金自動取引装置１の内部への移動を完了したことが、図示しないセンサ等により検出された後に、制御部１２及び前述の図示しない駆動部により制御されて、表示機構部表面の表示部２または入力部３の表面に接する位置へ移動させられる。
【００４４】
そして、清掃部１５は、表示機構部４が移動する向きを替えて現金自動取引装置１の外部へ移動する動作の間、表示部２または入力部３の表面上に接触した状態とさせられることにより、表示部２または入力部３の表面に付着した異物や埃などを取り除くことができる。
【００４５】
なお、表示機構部４の移動動作中には、入力部３での入力の検出を行わず、所定位置への移動の完了を検出した後に入力の検出を再開するようにすることにより、清掃部１５の接触による入力の誤検出を防止することができる。
【００４６】
図６は本発明の実施形態による現金自動取引装置の全体の処理動作を説明するフローチャートであり、次に、これについて説明する。なお、ここでの処理は、制御部１２による制御の下に行われる処理である。
【００４７】
（１）現金自動取引装置１は、取引が開始されることを待ち、取引の開始にかかる入力があると、入力部３の操作によるこれから処理する取引にかかる情報（取引種別、暗証番号、出金金額等）の入力を受け付け、必要により、カード機構部５や通帳機構部７で取引に用いるキャッシュカードや通帳等の媒体の挿入を受け付ける（ステップ６０１、６０２）。
【００４８】
（２）その後、現金自動取引装置１は、回線部１０を介して取引の認証要求を図示しないセンタに送信し、センタからの認証結果を受信する。ここでセンタに送信する認証要求には、取引の種別、口座番号、暗証番号、取引金額等のステップ６０２で入力された情報が含まれている（ステップ６０３、６０４）。
【００４９】
（３）現金自動取引装置１は、受信した認証結果が、今回の取引を許可するものであるか否かを判定し、認証結果が、今回の取引を許可しないというものであった場合、今回の取引で挿入されたキャッシュカードや通帳等の媒体を利用者に返却する返却処理等を行う。また、明細票にセンタからの取引拒否のメッセージを印字して排出し、ステップ６０１からの処理に戻って、次の取引のために待機する（ステップ６０５〜６０７）。
【００５０】
（４）ステップ６０５の判定で、取引が許可されており、また、取引の種別が入金処理や入金を伴う振込処理であった場合、表示機構部４の入力部３からの入力を無効とすると共に、表示機構部４を現金自動取引装置１の内部に引き込む方向に移動させ、紙幣及び硬貨の入出金口４１、４２を露出させ、利用者に現金を投入させる（ステップ６０８〜６１１）。
【００５１】
（５）利用者による現金の投入を終了した後、表示機構部４を現金自動取引装置１の内部から引き出す方向に移動させ、紙幣及び硬貨の入出金口４１、４２を覆うと共に、入力部３からの入力を有効とし、投入された現金の収納を行う（ステップ６１２〜６１４）。
【００５２】
（６）ステップ６０８の判定で、取引の種別が入金処理や入金を伴う振込処理でなく、出金処理であった場合、ステップ６０９〜６１４の処理を行うことなく、現金を紙幣及び硬貨の入出金口４１、４２に放出し、また、ステップ６０９〜６１４の処理を行った場合、次に、明細票機構部５において明細票を発行する必要があるか否かを判定する。例えば、今回の取引で通帳が挿入されていれば、取引内容を通帳に印字し、明細票を発行しなくてよい場合がある（ステップ６１５、６１６）。
【００５３】
（７）ステップ６１６の判定で、明細票を発行する必要があった場合、明細票機構部５に明細票を発行させた後、あるいは、ステップ６１６の判定で、明細票を発行する必要がなかった場合、通帳がある場合に通帳への印字を行わせた後、今回の取引で挿入されたキャッシュカードや通帳等の媒体を利用者に返却する返却処理を行うと共に、取引の種別が出金であったか否かを判定し、出金でなく入金であった場合、ここでの処理を終了して、ステップ６０１からの処理に戻って、次の取引のために待機する（ステップ６１７〜６１９）。
【００５４】
（８）ステップ６１９の判定で、取引の種別が出金処理であった場合、表示機構部４の入力部３からの入力を無効とすると共に、表示機構部４を現金自動取引装置１の内部に引き込む方向に移動させ、紙幣及び硬貨の入出金口４１、４２を露出させ、利用者に現金を取り出させる（ステップ６２０〜６２２）。
【００５５】
（９）利用者による現金の取り出しが終了した後、表示機構部４を現金自動取引装置１の内部から引き出す方向に移動させ、紙幣及び硬貨の入出金口４１、４２を覆い、入力部３からの入力を有効とし、ここでの処理を終了して、ステップ６０１からの処理に戻って、次の取引のために待機する（ステップ６２３、６２４）。
【００５６】
前述した本発明の実施形態での処理は、プログラムにより構成し、本発明が備えるＣＰＵに実行させることができ、また、それらのプログラムは、ＦＤ、ＣＤＲＯＭ、ＤＶＤ等の記録媒体に格納して提供することができ、また、ネットワークを介してディジタル情報により提供することができる。
【００５７】
前述した本発明の各実施形態によれば、現金自動取引装置の表示部を、現金機構の現金入出金口のシャッタとしているので、前述の表示部をほぼ水平に実装しても、装置の奥行きサイズを小さくして、装置全体を小型に構成することができ、かつ、表示画面の表示内容を背後から他の人に見られにくくすることができる。
【図面の簡単な説明】
【００５８】
【図１】本発明の実施形態による現金自動取引装置の構成を示すブロック図である。
【図２Ａ】本発明の第１の実施形態による現金自動取引装置における表示機構部を説明する図である。
【図２Ｂ】図２Ｂは本発明の第１の実施形態の変形例による現金自動取引装置における表示機構部と現金の入出金口とを説明する図である。
【図３】本発明の第２の実施形態による現金自動取引装置における表示機構部を説明する図である。
【図４】本発明の第３の実施形態による現金自動取引装置における表示機構部を説明する図である。
【図５】本発明の第４の実施形態による現金自動取引装置における表示機構部の清掃を行う清掃部の構成を示す図である。
【図６】本発明の実施形態による現金自動取引装置の全体の処理動作を説明するフローチャートである。
【符号の説明】
【００５９】
１  現金自動取引装置
２、２３、２４  表示部
３  入力部
４、２１、２２  表示機構部
５  カード機構部
６  明細票機構部
７  通帳機構部
８  紙幣機構部
９  硬貨機構部
１０  回線部
１１  表示部の移動機構部
１２  制御部
１３  電源部
１４  補助表示機構部
１５  清掃部
４１  紙幣入出金口
４２  硬貨入出金口
【図１】
0005096231.tif 000002
【図２Ａ】
0005096231.tif 000003
【図２Ｂ】
0005096231.tif 000004
【図３】
0005096231.tif 000005
【図４】
0005096231.tif 000006
【図５】
0005096231.tif 000007
【図６】
0005096231.tif 000008